(57)【要約】【課題】使用者が打球ポールによって打球のタイミングを目視し、さらに上記打球のタイミングに基づいて打球のポイントを知ることにより、打球の正確性を増やすことができる。【解決手段】一個の保持スタンド１および一個の打球ポール２が含まれる。保持スタンド１には一個の固定部１１と一個の保持部１２が含まれる。打球ポール２は保持スタンド１に設けられ、かつ打球ポール２には一個の結合部２１が設けられ、結合部２１によって保持部１２と互いに係合するように構成されている。【選択図】図１
2014030703.tif 000002
【特許請求の範囲】
【請求項１】
一個の保持スタンド（１）および一個の打球ポール（２）が含まれるスイング補助装置において、保持スタンド（１）には一個の固定部（１１）と一個の保持部（１２）が含まれ、打球ポール（２）は保持スタンド（１）に設けられ、かつ打球ポール（２）には一個の結合部（２１）が設けられ、結合部（２１）によって保持部（１２）と互いに係合することを特徴とするスイング補助装置。
【請求項２】
保持スタンド（１）の保持部（１２）の周壁には二個の相対する挿入孔（１２２）が設けられ、打球ポール（２）は二個の挿入孔（１２２）に挿設され、かつ結合部（２１）は保持部（１２）に進入して保持部（１２）の内に係合されることを特徴とする請求項１に記載のスイング補助装置。
【請求項３】
結合部（２１）には相対する一個の凸面（２１１）と一個の凹面（２１２）が含まれ、凸面（２１１）は保持スタンド（１）の固定部（１１）の方向に向けるように形成され、凹面（２１２）は保持スタンド（１）の保持部（１２）の方向に向けるように形成されることを特徴とする請求項２に記載のスイング補助装置。
【請求項４】
結合部（２１）は打球ポール（２）の中央に位置され、かつ結合部（２１）は一個のスルーホールからなり、上記スルーホールは保持スタンド（１）の保持部（１２）の外に嵌設されることを特徴とする請求項１に記載のスイング補助装置。
【請求項５】
保持スタンド（１）は一個の底座を固定部（１１）とし、かつ一個の支持棒を保持部（１２）とし、上記支持棒は上記底座の上に設けられ、かつ上記支持棒は塑性のゴムまたは塑性のプラスチックによって製造される一個の管状物からなることを特徴とする請求項１、２、３または４に記載のスイング補助装置。
【請求項６】
保持部（１２）の上端に一個のボール置き凹部（１２１）が開設され、かつボール置き凹部（１２１）の内周壁は斜面状に形成されることを特徴とする請求項１、２、３または４に記載のスイング補助装置。
【請求項７】
打球ポール（２）は保持部（１２）のボール置き凹部（１２１）に近隣する部位に設置され、さらに固定部（１１）とは距離を隔てるように形成されることを特徴とする請求項６に記載のスイング補助装置。
【発明の詳細な説明】
【技術分野】
【０００１】
本発明は、スイング補助装置に関するもので、特に使用者が打球のタイミングを目視することにより、打球の正確性を増やすことができるスイング補助装置に係わるものである。
【背景技術】
【０００２】
現在、ゴルフは最も流行るレジャースポーツの一つで、一般的に使用者がゴルフをしようとする時、先ず図６に示される保持スタンド（golf rubber tees）９を準備し、そして保持スタンド９の上にゴルフボール８を載せ、それからコーチの指導や自らの経験でクラブをスイングし、さらにスイングの過程の姿勢や技巧を把握して保持スタンド９の上に載せられているゴルフボール８をスムースに打ち出す。
【０００３】
ただし、ゴルフはスイング、姿勢と技巧に頼らなければならないスポーツで、スイング、姿勢や技巧に少しでも欠点があれば、使用者がクラブでスイングする時に、クラブが予定されるスイングのルートから偏ってしまうことにより、打球のタイミングを掌握することができないため、正確な打球のポイントにおいてあるべきの打球力を発揮できなくなるだけではなく、ミスショットしてしまう状況も生じるという問題点があった。
【０００４】
それで、ゴルフをする過程において使用者が打球の準備から、トップ、切り返し、インパクト、フォロー、フィニッシュまで、クラブヘッドを一定の軌道に従わなければ、適当な打球力でスムースにボールを正確な方向に打ち出すことができない。そのため、市場では例えば特許文献１、特許文献２および特許文献３などの特許に掲示されている各種のゴルフ練習用の補助装置が発売され、そして上記補助装置を利用して練習することにより、適当なスイングの姿勢や打球の技巧を習得することができる。
【先行技術文献】
【特許文献】
【０００５】
【特許文献１】中国特許出願公告第Ｉ２２３６０３号明細書
【特許文献２】中国特許出願公告第Ｍ２４７２４６号明細書
【特許文献３】中国特許出願公告第Ｍ３８６１００号明細書
【発明の概要】
【発明が解決しようとする課題】
【０００６】
上記のような従来のゴルフ練習用の補助装置では、一般的に次のような問題点を有している。上記従来のゴルフ練習用の補助装置では初心者にとって依然として経験者に傍から協力して貰ったり、或いは適当に調整して貰ったりしないと、練習の過程における有効性を保つことができない。仮に、コーチまたは熟練者が傍から指導したり矯正したりしないと、初心者にとって自らの操作では厳しい要求の標準に符合するように修正するのが難しいため、ゴルフというスポーツをする上で初心者には大きな打撃になるという問題点があった。さらに、ゴルフ練習用の補助装置の不当な使用によって、初心者にスイングの姿勢の修正効果が表れないため、姿勢の不正で初心者に運動傷害を与えてしまうという問題点があった。
【０００７】
上記のような従来のゴルフ練習用の補助装置の問題点に鑑み、確実に使用者が打球のタイミングを目視することができ、打球の正確性を増やすことができるスイング補助装置を提供することにより、初心者の練習に役立って上述した各種の問題点を解決しなければならない。
【０００８】
本発明の第一の目的は、使用者が打球のタイミングを目視し、かつ上記打球のタイミングに基づいて打球のポイントを知ることにより、スイングによる打球時の感度を高め、さらにあるべき打球力を発揮して打球の正確性を増やすことができるスイング補助装置を提供する。
【０００９】
本発明の第二の目的は、初心者が自ら操作や修正を行なうことにより、スイングの姿勢の正確性を高めるとともに、不正な姿勢で運動傷害が生じてしまうのを抑えることができるスイング補助装置を提供する。
【課題を解決するための手段】
【００１０】
上記目的を達成するために、本発明のスイング補助装置には、一個の保持スタンドおよび一個の打球ポールが含まれる。保持スタンドには一個の固定部と一個の保持部が含まれる。打球ポールは保持スタンドに設けられ、かつ打球ポールには一個の結合部が設けられ、結合部によって保持部と互いに係合する。
【００１１】
また、本発明のスイング補助装置は、保持スタンドの保持部の周壁には二個の相対する挿入孔が設けられ、打球ポールは二個の挿入孔に挿設され、かつ結合部は保持部に進入して保持部の内に係合されることもできる。また、結合部には相対する一個の凸面と一個の凹面が含まれ、凸面は保持スタンドの固定部の方向に向けるように形成され、凹面は保持スタンドの保持部の方向に向けるように形成されることもできる。また、結合部は打球ポールの中央に位置され、かつ結合部は一個のスルーホールからなり、スルーホールは保持スタンドの保持部の外に嵌設されることもできる。また、保持スタンドは一個の底座を固定部とし、かつ一個の支持棒を保持部とし、支持棒は底座の上に設けられ、かつ支持棒は塑性のゴムまたは塑性のプラスチックによって製造される一個の管状物からなることもできる。また、保持部の上端に一個のボール置き凹部が開設され、かつボール置き凹部の内周壁は斜面状に形成されることもできる。また、打球ポールは保持部のボール置き凹部に近隣する部位に設置され、さらに固定部とは距離を隔てるように形成されることもできる。
【発明の効果】
【００１２】
本発明のスイング補助装置によれば、使用者が打球のタイミングを目視し、かつ上記打球のタイミングに基づいて打球のポイントを知ることにより、スイングによる打球時の感度を高め、さらにあるべき打球力を発揮して打球の正確性を増やすことができるという利点がある。
【００１３】
本発明のスイング補助装置によれば、初心者が自ら操作や修正を行なうことにより、スイングの姿勢の正確性を高めるとともに、不正な姿勢で運動傷害が生じてしまうのを抑えることができるという利点がある。
【図面の簡単な説明】
【００１４】
【図１】図１は、本発明のスイング補助装置の分解斜視図である。
【図２】図２は、本発明のスイング補助装置の組み立てられた状態の平面図である。
【図３】図３は、本発明のスイング補助装置の組み立てられた状態の側面図である。
【図４】図４は、本発明のスイング補助装置の使用状態の平面図である。
【図５】図５は、本発明のスイング補助装置のもう一つの態様の分解斜視図である。
【図６】図６は、従来のスイング練習装置の保持スタンドの説明図である。
【発明を実施するための最良の形態】
【００１５】
本発明の実施の形態について、以下、図面を参照して説明する。
【００１６】
本発明のスイング補助装置は例えばゴルフ、ゲートボールなどの標的を目視しなければならない打球タイプのスポーツに応用することにより、適当な打球のポイントにおいてスムースにボールを打ち出すことができる。ここでは、選択的にゴルフを本発明の実施例の図式とし、さらに本発明のスイング補助装置の主な部材およびそれらに関わる配置と合わせて下記のとおり詳しく説明する。
【００１７】
図１は本発明のスイング補助装置の分解斜視図である。図１を参照すると、スイング補助装置には一個の保持スタンド１および一個の打球ポール２が含まれ、打球ポール２は保持スタンド１に設けられる。
【００１８】
保持スタンド１は一般的にボール３を載せるゴム製の載置具からなり、かつ保持スタンド１には一個の固定部１１と一個の保持部１２が含まれ、固定部１１は保持スタンド１を位置決めするのに用いられ、かつ保持部１２はボール３を載せるのに用いられる。その中に、保持スタンド１は直接一個の棒状体からなることができ、上記棒状体の一端は保持部１２で、かつ上記棒状体のもう一端は固定部１１で、固定部１１は練習場の地面（すなわち直接地面に嵌合する）に固設するのに用いられるため、ボール３を載せたままで保持スタンド１１が移動するのを避けることができる。
【００１９】
または、本実施例の図面に示されるように、保持スタンド１は一個の底座を固定部１１とし、かつ一個の支持棒を保持部１２とし、上記支持棒は一体になるように上記底座に成形されたり、或いは粘着、締り嵌めなどの組立ての方式で互いに固接したりすることができる。特に、保持部１２の支持棒として塑性のゴムまたは塑性のプラスチックなどの弾力性材質によって製造される一個の管状物からなることができるため、クラブヘッドが保持部１２に接触する時に打撃の作用力を有効に分散することができるとともに、上記クラブヘッドが硬物にぶつかって破損してしまうのを防止することができる。
【００２０】
本実施例において、保持部１２（すなわち支持棒）の上端に一個のボール置き凹部１２１が開設され、ボール置き凹部１２１はボール３を載せるのに用いられ、かつボール置き凹部１２１の内周壁は好ましくは図面に示すような斜面状に形成されるため、打球時においてボール置き凹部１２１の内周壁の斜面を利用してボール３を支えることにより、ボール３をスムースに打ち出すことができる。
【００２１】
図２は本発明のスイング補助装置の組み立てられた状態の平面図である。図１、２を参照すると、打球ポール２は保持スタンド１に設けられ、かつ打球ポール２には一個の結合部２１が設けられ、結合部２１は保持部１２と互いに係合することができる。
【００２２】
その中に、本実施例に示すように打球ポール２は直接一個の棒状体からなり、かつ打球ポール２を挿設するべく、本実施例においては選択的に保持スタンド１の保持部１２の周壁において二個の相対する挿入孔１２２を開設する。二個の挿入孔１２２は好ましくは全てボール置き凹部１２１に近隣する部位に開設されることにより、打球ポール２の結合部２１はその内の一個の挿入孔１２２を経て保持スタンド１の保持部１２に進入し、さらに保持部１２の内に位置決めするように形成される。
【００２３】
その中に、図面に示すように結合部２１は打球ポール２の中央部位に形成され、かつ打球ポール２は好ましくは保持部１２のボール置き凹部１２１に近隣する部位に設置され、さらに固定部１１とは距離を隔てるように形成されることにより、打球ポール２による標示作用はさらに明らかになる。
【００２４】
また、結合部２１には相対する一個の凸面２１１と一個の凹面２１２が含まれ、凸面２１１は保持スタンド１の固定部１１の方向に向けるように形成され、凹面２１２は保持スタンド１の保持部１２の方向に向けるように形成され、特に保持部１２の上端のボール置き凹部１２１に向けるように形成される。これにより、凸面２１１によって保持部１２の内に係止することができるため、打球ポール２が挿入孔１２２から脱離するのを避けることができ、さらに凹面２１２によってボール３をボール置き凹部１２１に放置するための安定性に影響を及ぼすのを避けることができる。
【００２５】
その他に、図５は本発明のスイング補助装置のもう一つの態様の分解斜視図である。図５を参照すると、結合部２１は一個のスルーホールからなり、上記スルーホールによって打球ポール２は保持スタンド１の保持部１２の外に嵌設される。その中に、結合部２１として形成されるスルーホールのサイズは保持部１２にさえ合わせればよいもので、さらに締り嵌め、粘着、係止、溶接などの任意な方法で保持スタンド１に嵌設すればよいものであるため、ここではその説明を省くともに、かつ制限を加える必要もない。
【００２６】
上述のように、本発明において打球ポール２と保持スタンド１は貼接、嵌設、溶接または挿設などの任意な方法によって互いに結合することができ、かつ打球ポール２を保持スタンド１に安定して結合するだけで、さらに図１に示すようにＸの方向で水平に設置すればよいものであるため、ここでは参考として上述した二種類の結合の態様を提供するもので、実際に実施する時にはこの限りではない。
【００２７】
図３は本発明のスイング補助装置の組み立てられた状態の側面図で、図４は本発明のスイング補助装置の使用状態の平面図である。図３、４を参照すると、本発明のスイング補助装置を上述した部材に基づいて図３に示される態様に組立てを終えると、使用者がスイングの練習を行なう時、使用者は先ずボール３をボール置き凹部１２１に載せ、そしてクラブを握って図４に示すように矢印の方向に沿ってスイングすることができる。このようにして、使用者の視線が打球ポール２を注視した時、スイングの動作を準備することができ、さらにその勢いに従ってクラブを上げることにより、使用者の視線はさらに完全に打球ポール２に制限される範囲内に落ち、そしてクラブヘッド４が上記範囲内までスイングすると、クラブヘッド４はボール３にぶつかってボール３をスムースに打ち出すことができる。
【００２８】
以上を総合すると、本発明のスイング補助装置の主な特徴は、打球ポール２の設置を標示とすることにより、ボール置き凹部１２１を中心基準とする条件で、打球ポール２を中心にして円を描く方法で一個のスイングの範囲を囲み出すことができ、上記スイングの範囲によって使用者に比較的大きい打球の視野を提供することができるため、使用者は上記スイングの範囲内で適当な打球のタイミングを目測し、さらに上記打球のタイミングに基づいて打球のポイントを知ることができる。これにより、使用者がスイングによる打球時の感度を高めることができ、さらにクラブヘッド４がボール３にぶつかる時に比較的よい打球力を確保することができるとともに、ボール３を比較的遠い位置までスムースに打ち出すことができるため、打球の正確性を高めることができる。
【００２９】
さらに、本発明のスイング補助装置によれば、簡単に打球ポール２を組み立てることができるため、初心者にとって自ら簡単に操作することができ、そして随時に打球ポール２を適当な位置まで修正することにより、スイングの標準に符合し、かつ使用者の体型に合わせることができる。そのため、使用者の姿勢と技巧を矯正することにより、スイングの正確性を高めることができるとともに、姿勢の不正で運動傷害が生じてしまうのを相対的に抑えることができる。
【００３０】
本発明は、その精神と必須の特徴事項から逸脱することなく他のやり方で実施することができる。従って、本明細書に記載した好ましい実施例は例示的なものであり、限定的なものではない。
【符号の説明】
【００３１】
１    保持スタンド
１１    固定部
１２    保持部
１２１    ボール置き凹部
１２２    挿入孔
２    打球ポール
２１    結合部
２１１    凸面
２１２    凹面
３    ボール
４    クラブヘッド
８    ゴルフボール
９    保持スタンド
【図１】
2014030703.tif 000003
【図２】
2014030703.tif 000004
【図３】
2014030703.tif 000005
【図４】
2014030703.tif 000006
【図５】
2014030703.tif 000007
【図６】
2014030703.tif 000008